(57)【要約】【課題】中ユニット及び外カバーが損傷する虞を防止しながらも、構成の簡素化を図ることができる画像形成装置を提供する。【解決手段】装置本体１Ａの内部に通じる揺動開閉自在な外カバー６の裏側に、転写紙Ｐが通過する一対の搬送路５を転写紙Ｐの厚み方向に間隔を隔てて並設してあり、それら両搬送路間に外カバー６と略同じ方向に揺動開閉自在な中ユニットＳを設けてあり、外カバー６と中ユニットＳとを個別に揺動可能に構成してあり、外カバー６を開いたときに外カバー６の揺動位置が所定の位置を超えて揺動しないように外カバー６を支持する支持部材を外カバー６と装置本体１Ａとの間に設けてあり、中ユニットＳに支持部材に対する被係止部７を設け、中ユニットＳの揺動に伴う被係止部７の軌跡Ａを、外カバー６が最大揺動位置に位置したときの支持部材Ｖと交差させることにより、被係止部７を支持部材Ｖにて受け止めるように構成してある。【選択図】図２
2009058778.tif 000002
【特許請求の範囲】
【請求項１】
装置本体の内部に通じる揺動開閉自在な外カバーの裏側に、転写紙が通過する一対の搬送路を前記転写紙の厚み方向に間隔を隔てて並設してあり、それら両搬送路間に前記外カバーと略同じ方向に揺動開閉自在な中ユニットを設けてあり、前記外カバーと前記中ユニットとを個別に揺動可能に構成してあり、前記外カバーを開いたときに前記外カバーの揺動位置が所定の位置を超えて揺動しないように前記外カバーを支持する支持部材を前記外カバーと前記装置本体との間に設けてある画像形成装置であって、
前記中ユニットに前記支持部材に対する被係止部を設け、前記中ユニットの揺動に伴う前記被係止部の軌跡を、前記外カバーが最大揺動位置に位置したときの前記支持部材と交差させることにより、前記被係止部を前記支持部材にて受け止めるように構成してある画像形成装置。
【請求項２】
前記支持部材が前記外カバーと前記装置本体とにわたって張設された索状体であり、前記索状体に前記被係止部を受け止める受止部を設けてある請求項１に記載の画像形成装置。
【請求項３】
前記支持部材が前記外カバーと前記装置本体とにわたって張設された索状体であり、その索状体と前記装置本体又は前記外カバーとの間に、前記索状体を常に緊張させる引っ張り付勢手段を設けてある請求項１に記載の画像形成装置。
【請求項４】
装置本体の内部に通じる揺動開閉自在な外カバーの裏側に、転写紙が通過する一対の搬送路を前記転写紙の厚み方向に間隔を隔てて並設してあり、それら両搬送路間に前記外カバーと略同じ方向に揺動開閉自在な中ユニットを設けてあり、前記外カバーと前記中ユニットとを個別に揺動可能に構成してあり、前記外カバーを開いたときに前記外カバーの揺動位置が所定の位置を超えて揺動しないように前記外カバーを支持する支持部材を前記外カバーと前記装置本体との間に設けてある画像形成装置であって、
前記支持部材を、前記装置本体と前記外カバーとに亘って架設した索状体又はロッドで構成し、前記中ユニットと前記外カバーとの間に、前記中ユニットを弾性的に前記外カバーに受け止めさせるつるまきバネを設け、そのつるまきバネを前記索状体又はロッドに外嵌して支持させてある画像形成装置。
【発明の詳細な説明】
【技術分野】
【０００１】
本発明は、装置本体の内部に通じる揺動開閉自在な外カバーの裏側に、転写紙が通過する一対の搬送路を前記転写紙の厚み方向に間隔を隔てて並設してあり、それら両搬送路間に前記外カバーと略同じ方向に揺動開閉自在な中ユニットを設けてあり、前記外カバーと前記中ユニットとを個別に揺動可能に構成してあり、前記外カバーを開いたときに前記外カバーの揺動位置が所定の位置を超えて揺動しないように前記外カバーを支持する支持部材を前記外カバーと前記装置本体との間に設けてある画像形成装置に関する。
【背景技術】
【０００２】
従来、この種の画像形成装置では、単に、支持部材としての索状体を外カバーと装置本体とにわたって張設してあるものがあった（尚、このような構成は周知慣用技術であり、適切な先行技術文献を開示できないものである。）。
【発明の開示】
【発明が解決しようとする課題】
【０００３】
従来の画像形成装置においては、例えば、転写紙の紙詰まり処理（ジャム処理）やメンテナンス処理を行なうために外カバーを開けると、中ユニットが外カバーと略同じ方向に揺動して中ユニットが外カバーに接当して、中ユニット及び外カバーが損傷する虞があった、特に、使用者やメンテナンス要員が外カバーを勢いよく開けると、中ユニットが外カバーに衝突して、中ユニット及び外カバーが損傷する虞が大きくなるものであった。
【０００４】
そこで、中ユニット及び外カバーが損傷する虞を防止するために、索状体を外カバーと装置本体とにわたって張設するとともに、中ユニットを受け止める受け止め部を外カバーに設けて、中ユニットが外カバーに接触しないように構成してある構成が考えられる。このような構成を採用することにより、中ユニット及び外カバーが損傷する虞を防止することができるものの、受け止め部を別に設ける必要がある等、構成の複雑化を招くものであった。
【０００５】
本発明は、上記実状に鑑みて為されたものであって、その目的は、中ユニット及び外カバーが損傷する虞を防止しながらも、構成の簡素化を図ることができる画像形成装置を提供する点にある。
【課題を解決するための手段】
【０００６】
本発明の画像形成装置は、装置本体の内部に通じる揺動開閉自在な外カバーの裏側に、転写紙が通過する一対の搬送路を前記転写紙の厚み方向に間隔を隔てて並設してあり、それら両搬送路間に前記外カバーと略同じ方向に揺動開閉自在な中ユニットを設けてあり、前記外カバーと前記中ユニットとを個別に揺動可能に構成してあり、前記外カバーを開いたときに前記外カバーの揺動位置が所定の位置を超えて揺動しないように前記外カバーを支持する支持部材を前記外カバーと前記装置本体との間に設けてあるものであって、その第１特徴構成は、前記中ユニットに前記支持部材に対する被係止部を設け、前記中ユニットの揺動に伴う前記被係止部の軌跡を、前記外カバーが最大揺動位置に位置したときの前記支持部材と交差させることにより、前記被係止部を前記支持部材にて受け止めるように構成してある点にある。
【０００７】
すなわち、外カバーを開けることにより、外カバーが最大揺動位置まで揺動し、中ユニットが外カバーと略同じ方向に揺動すると、中ユニットの被係止部が外カバーを支持する支持部材に接触して、被係止部を支持部材にて受け止めることになるので、中ユニットが外カバーに接触しないようにして、中ユニット及び外カバーが損傷する虞を防止することができる。しかも、被係止部を受け止める構成を支持部材に兼用させて、構成の簡素化を図ることができる。
したがって、中ユニット及び外カバーが損傷する虞を防止しながらも、構成の簡素化を図ることができる画像形成装置を得るに至った。
【０００８】
本発明の第２特徴構成は、上記第１特徴構成に加えて、前記支持部材が前記外カバーと前記装置本体とにわたって張設された索状体であり、前記索状体に前記被係止部を受け止める受止部を設けてある点を特徴とする。
【０００９】
すなわち、外カバーを開けることにより、外カバーが最大揺動位置まで揺動し、中ユニットが外カバーと略同じ方向に揺動すると、中ユニットの被係止部が外カバーと装置本体とにわたって張設された索状体に接触して、索状体の張力に抗して索状体における被係止部の接触箇所を中ユニットの揺動方向に押し下げることになるので、索状体を被係止部を緩衝的に受け止めるダンパーとして機能させて、中ユニット及び外カバーが損傷する虞を一層防止することができる。
しかも、索状体に被係止部を受け止める受止部を設けてあるので、被係止部を索状体及び受止部にて確実に受け止めることができる。
【００１０】
本発明の第３特徴構成は、上記第１特徴構成に加えて、前記支持部材が前記外カバーと前記装置本体とにわたって張設された索状体であり、その索状体と前記装置本体又は前記外カバーとの間に、前記索状体を常に緊張させる引っ張り付勢手段を設けてある点を特徴とする。
【００１１】
すなわち、外カバーを開けることにより、外カバーが最大揺動位置まで揺動し、中ユニットが外カバーと略同じ方向に揺動すると、中ユニットの被係止部が外カバーと装置本体とにわたって張設された索状体に接触して、索状体の張力に抗して索状体における被係止部の接触箇所を中ユニットの揺動方向に押し下げることになるので、索状体を被係止部を緩衝的に受け止めるダンパーとして機能させて、中ユニット及び外カバーが損傷する虞を一層防止することができる。
しかも、その索状体と前記装置本体又は前記外カバーとの間に、前記索状体を常に緊張させる引っ張り付勢手段を設けてあるので、外カバーが最大揺動位置まで揺動していなくても、被係止部を索状体にて受け止めることができる。
【００１２】
本発明の画像形成装置は、装置本体の内部に通じる揺動開閉自在な外カバーの裏側に、転写紙が通過する一対の搬送路を前記転写紙の厚み方向に間隔を隔てて並設してあり、それら両搬送路間に前記外カバーと略同じ方向に揺動開閉自在な中ユニットを設けてあり、前記外カバーと前記中ユニットとを個別に揺動可能に構成してあり、前記外カバーを開いたときに前記外カバーの揺動位置が所定の位置を超えて揺動しないように前記外カバーを支持する支持部材を前記外カバーと前記装置本体との間に設けてあるものであって、その第４特徴構成は、前記支持部材を、前記装置本体と前記外カバーとに亘って架設した索状体又はロッドで構成し、前記中ユニットと前記外カバーとの間に、前記中ユニットを弾性的に前記外カバーに受け止めさせるつるまきバネを設け、そのつるまきバネを前記索状体又はロッドに外嵌して支持させてある点にある。
【００１３】
すなわち、外カバーを開けることにより、外カバーが最大揺動位置まで揺動し、中ユニットが外カバーと略同じ方向に揺動すると、つるまきバネが中ユニットを弾性的に外カバーに受け止めさせるので、中ユニット及び外カバーが損傷する虞を防止することができる。しかも、つるまきバネを索状体又はロッドに外嵌して支持させてあるので、つるまきバネを支持する構成を索状体又はロッドに兼用させて、構成の簡素化を図ることができる。
したがって、中ユニット及び外カバーが損傷する虞を防止しながらも、構成の簡素化を図ることができる画像形成装置を得るに至った。
【発明を実施するための最良の形態】
【００１４】
〔第１実施の形態〕
以下、本発明に係る画像形成装置について説明する。
図１は、本発明の画像形成装置の一実施形態を示すもので、当該画像形成装置１は、例えば、複写機やファクシミリやプリンタ等であり、転写紙Ｐの表裏両面に印刷を行えるように構成されている。
前記画像形成装置１は、図に示してあるように、給紙カセット、給紙トレイ等の用紙収納手段に収納した転写紙Ｐをピックアップコロによって１枚ずつ取り出し、中間コロを経てレジストローラにまで搬送した後、レジストローラによって所定のタイミングで画像形成部２に給紙し、画像形成部２で感光体ドラム３に作成されたトナー画像を転写紙Ｐに転写後、定着部４に搬送するように構成されており、これら一連の転写紙Ｐの搬送路５Ａが、装置本体１Ａ内で縦方向に設定された所謂「縦搬送形式」の装置として構成してある。
そして、両面印刷時に備えて、転写紙Ｐを表裏反転させるスイッチバック搬送路（不図示）や、表裏反転させた転写紙Ｐを前記画像形成部２に向けて返送する搬送路５Ｂが設けてあり、両搬送路５の間には、それぞれの搬送路５Ａ、５Ｂでの紙送りを行う中ユニットとしての中間搬送装置Ｓが設けられている。
また、装置本体１Ａにおいて、前記搬送路５Ｂに近いハウジングの片側壁部分には、内部に通じる外カバーとしての揺動開閉カバー６が設けてあり、例えば、ジャム処理や保守点検などの際に、この揺動開閉カバー６を開いて簡単に実施できるように構成されている（図２参照）。これにより、揺動開閉カバー６の裏側に、両搬送路５を転写紙Ｐの厚み方向に間隔を隔てて並設してある。
尚、この揺動開閉カバー６、及び、前記中間搬送装置Ｓは、略同じ方向に揺動開閉自在な状態に装置本体１Ａに取り付けられている。
【００１５】
前記揺動開閉カバー６は、その下縁部を、装置本体１Ａのハウジングに対して枢支連結されており、その枢支軸芯Ｘ周りに揺動操作することで、開状態と閉状態とに切り替えることができる。一方、前記中間搬送装置Ｓも、揺動開閉カバー６と同様に、その下縁部を、装置本体１Ａのハウジングに対して枢支連結されており、前記揺動開閉カバー６の開閉操作とは個別に枢支軸芯Ｘ周りに揺動し、開状態と閉状態とに切り替えることができる。そして、図２に示すように、揺動開閉カバー６を開いたときに揺動開閉カバー６の揺動位置が最大揺動位置を超えて揺動しないように揺動開閉カバー６を支持するストラップＶ（支持部材、索状体に相当）を揺動開閉カバー６の裏面部分と装置本体１Ａの固定部分とにわたって設けてある。
そして、図２、図３に示すように、中間搬送装置ＳにストラップＶに対する被係止部としての突部７を設け、中間搬送装置Ｓの揺動に伴う突部７の軌跡Ａを、揺動開閉カバー６が最大揺動位置に位置したときのストラップＶと交差させることにより、突部７をストラップＶにて受け止めるように構成してある。
説明を加えると、中間搬送装置Ｓの枢支軸芯Ｘ方向の一側部に略円筒状の突部７を枢支軸芯Ｘに沿う方向に取り付けてある。そして、枢支軸芯Ｘ方向視において、中間搬送装置Ｓの揺動に伴う突部７の円弧状の軌跡Ａを、揺動開閉カバー６が最大揺動位置に位置したときのストラップＶ、すなわち、揺動開閉カバー６の裏面部分と装置本体１Ａの固定部分とを結ぶ直線と交差させ、かつ、平面視において、中間搬送装置Ｓの揺動に伴う突部７の直線状の軌跡Ａを、揺動開閉カバー６が最大揺動位置に位置したときのストラップＶ、すなわち、揺動開閉カバー６の裏面部分と装置本体１Ａの固定部分とを結ぶ直線と重複させてある。そして、枢支軸芯Ｘ方向視において、中間搬送装置Ｓの揺動に伴って、突部７が揺動開閉カバー６が最大揺動位置に位置したときのストラップＶと接触するときにおいて、中間搬送装置Ｓの揺動位置（以下、中間位置と呼称する）が、装置本体１Ａと最大揺動位置の揺動開閉カバー６との略中間付近の位置に、換言すると、中間搬送装置Ｓの傾斜角が最大揺動位置の揺動開閉カバー６の傾斜角の略半分の位置になるように構成してある。
【００１６】
前記突部７をストラップＶにて受け止める作用について説明を加えると、図３に示すように、揺動開閉カバー６を開けると、揺動開閉カバー６が最大揺動位置まで揺動し、中間搬送装置Ｓが揺動開閉カバー６と略同じ方向に揺動する（図３（イ）を参照）。中間搬送装置Ｓが中間位置まで揺動したときに、中間搬送装置Ｓの突部７がストラップＶの中央部付近に接触する（図３（ロ）を参照）。そして、中間搬送装置Ｓがさらに揺動したときに、中間搬送装置Ｓの突部７をストラップＶにて受け止める（図３（ハ）を参照）。このように、突部７がストラップＶの中央部付近を中ユニットの揺動方向に押し下げるときに、突部７に上向きの力が働くことになるので、ストラップＶを突部７を緩衝的に受け止めるダンパーとして機能させて、中間搬送装置Ｓ及び揺動開閉カバー６が損傷する虞を一層防止することができる。
【００１７】
〔第２実施の形態〕
この実施形態では、第１実施形態の構成と異なる構成についてのみ説明し、同じ構成については説明を省略する。
図４に示すように、ストラップＶの上面に突部７を受け止める受止部としての板状の切片８をストラップＶに略直交するように設けてある。これにより、突部７をストラップＶ及び切片８にて確実に受け止めることができるものであり、しかも、中間搬送装置Ｓが中間位置に位置するときの突部７の軌跡Ａの方向が、揺動開閉カバー６が最大揺動位置に位置したときのストラップＶの方向とほぼ同じ方向であっても、突部７を切片８にて受け止めることができる。
【００１８】
〔第３実施の形態〕
この実施形態では、第１実施形態の構成と異なる構成についてのみ説明し、同じ構成については説明を省略する。
図５に示すように、ストラップＶと装置本体１Ａとの間に、ストラップＶを常に緊張させる引っ張り付勢手段としてのつるまきバネ９を設けてある。説明を加えると、つるまきバネ９をストラップＶに外嵌し、つるまきバネ９の一端部（装置本体Ａ側の端部）とストラップＶの一端部とを固定するとともに、つるまきバネ９の他端部（揺動開閉カバー６側の端部）と装置本体１Ａとを固定し、ストラップＶを常に緊張させるように、ストラップＶの一端部を装置本体Ａ側に引っ張り付勢してある。これにより、揺動開閉カバー６が最大揺動位置まで揺動していなくても、突部７をストラップＶにて受け止めることができる。
【００１９】
〔第４実施の形態〕
この実施形態では、第１実施形態の構成と異なる構成についてのみ説明し、同じ構成については説明を省略する。
図６に示すように、中間搬送装置Ｓと揺動開閉カバー６との間に、中間搬送装置Ｓを弾性的に揺動開閉カバー６に受け止めさせるつるまきバネ１０を設け、そのつるまきバネ１０をストラップＶに外嵌して支持させてある。説明を加えると、つるまきバネ１０をストラップＶに外嵌し、つるまきバネ１０の他端部（揺動開閉カバー６側の端部）を揺動開閉カバー６に固定し、中間搬送装置Ｓに接当部としての板状の切片１１を取り付け、中間搬送装置Ｓの揺動に伴って、切片１１をつるまきバネ１０の一端部（装置本体Ａ側の端部）に接当させてある。切片１１は、図８に示すように、下縁の中央部に切り欠き１１ａを形成してある。これにより、つるまきバネ１０が中間搬送装置Ｓを弾性的に揺動開閉カバー６に受け止めさせるので、中間搬送装置Ｓ及び揺動開閉カバー６が損傷する虞を防止することができる。しかも、つるまきバネ１０をストラップＶに外嵌して支持させてあるので、つるまきバネ１０を支持する構成をストラップＶに兼用させて、構成の簡素化を図ることができる。
【００２０】
〔別実施の形態〕
（１）上記各実施の形態では、揺動開閉カバー６の枢支軸芯Ｘと中間搬送装置Ｓの枢支軸芯Ｘとが同じ位置である構成を例示したが、このような構成に代えて、揺動開閉カバー６の枢支軸芯よりも中間搬送装置Ｓの枢支軸芯のほうが上方に位置する構成としてもよい。
【００２１】
（２）上記各実施の形態では、中間搬送装置Ｓの枢支軸芯Ｘ方向の一側部に略円筒状の突部７を枢支軸芯Ｘに沿う方向に取り付けてある構成を例示したが、このような構成に代えて、中間搬送装置Ｓの枢支軸芯Ｘ方向の両側部の夫々に略円筒状の突部７を枢支軸芯Ｘに沿う方向に取り付け、それら突部７の夫々を受け止める２つのストラップＶを設ける構成としてもよい。
【００２２】
（３）上記第１及び第４実施の形態では、揺動開閉カバー６を開いたときに揺動開閉カバー６の揺動位置が最大揺動位置を超えて揺動しないように揺動開閉カバー６を支持するストラップＶを揺動開閉カバー６の裏面部分と装置本体１Ａの固定部分とにわたって設けてある構成を例示したが、このような構成に代えて、揺動開閉カバー６を開いたときに揺動開閉カバー６の揺動位置が最大揺動位置を超えて揺動しないように揺動開閉カバー６を支持するロッドを揺動開閉カバー６の裏面部分と装置本体１Ａの固定部分とにわたって設けてある構成としてもよい。この場合において、第１実施の形態では、そのロッドの周りに弾性変形自在なクッション材を設けて、突部７を緩衝的に受け止めるようにしてもよく、又、第４実施の形態では、つるまきバネの両端部の夫々にリング部を設けて、それらリング部をロッドに外嵌して支持させてもよい。
【００２３】
（４）上記各実施の形態では、枢支軸芯Ｘ方向視において、中間搬送装置Ｓの揺動に伴って、突部７が揺動開閉カバー６が最大揺動位置に位置したときのストラップＶと接触するときにおいて、中間搬送装置Ｓの揺動位置が、装置本体１Ａと最大揺動位置の揺動開閉カバー６との略中間付近の位置になるように構成してある構成を例示したが、このような構成に代えて、中間搬送装置Ｓの揺動位置が、装置本体１Ａと最大揺動位置の揺動開閉カバー６との略中間よりも装置本体１Ａ寄りの位置になるように構成してもよく、あるいは、構成中間搬送装置Ｓの揺動位置が、装置本体１Ａと最大揺動位置の揺動開閉カバー６との略中間よりも揺動開閉カバー６寄りの位置になるように構成してもよい。
【００２４】
（５）上記第２実施の形態では、ストラップＶの上面に突部７を受け止める受止部としての板状の切片８を設けてある構成を例示したが、このような構成に代えて、ストラップＶの上面の一部を突出させる構成としてもよい。
【００２５】
（６）上記第３実施の形態では、ストラップＶと装置本体１Ａとの間に、ストラップＶを常に緊張させるつるまきバネ９を設けてある構成を例示したが、このような構成に代えて、ストラップＶと揺動開閉カバー６との間に、ストラップＶを常に緊張させるつるまきバネ９を設けてある構成としてもよい。説明を加えると、図７に示すように、揺動開閉カバー６にプーリ１２を設け、ストラップＶをプーリ１２に巻き掛けて、その一端部を装置本体１Ａに固定するとともに、他端部をつるまきバネ１３の一端部に固定し、つるまきバネ１３の他端部を揺動開閉カバー６に固定してもよい。
【００２６】
（７）上記第３実施の形態では、つるまきバネ９をストラップＶに外嵌し、つるまきバネ９の一端部とストラップＶの一端部とを固定するとともに、つるまきバネ９の他端部と装置本体１Ａとを固定する構成を例示したが、このような構成に代えて、つるまきバネ９とストラップＶとを直列に並べ、ストラップＶの他端部を揺動開閉カバー６に固定し、ストラップＶの一端部とつるまきバネ９の他端部とを固定し、つるまきバネ９の一端部を装置本体１Ａに固定する構成としてもよく、あるいは、装置本体１Ａにプーリを設け、ストラップＶをプーリに巻き掛けて、その一端部を揺動開閉カバー６に固定するとともに、他端部を引っ張り付勢手段としてのつるまきバネ９の一端部に固定し、つるまきバネ９の他端部を装置本体１Ａに固定したり、装置本体１Ａにプーリを設け、ストラップＶをプーリに巻き掛けて、その一端部を揺動開閉カバー６に固定するとともに、他端部を引っ張り付勢手段としてのウェイトに固定してもよい。
【００２７】
（８）上記第４実施の形態では、つるまきバネ１０をストラップＶに外嵌し、つるまきバネ１０の他端部を揺動開閉カバー６に固定し、中間搬送装置Ｓに板状の切片１１を取り付け、中間搬送装置Ｓの揺動に伴って、切片１１をつるまきバネ１０の一端部に接当させてある構成を例示したが、このような構成に代えて、つるまきバネ１０をストラップＶに外嵌し、つるまきバネ１０の他端部を揺動開閉カバー６に固定し、中間搬送装置Ｓの揺動に伴って、中間搬送装置Ｓを直接つるまきバネ１０の一端部に接当させる構成としてもよい。
【００２８】
（９）上記第４実施の形態では、切片１１における下縁の中央部に切り欠き１１ａを形成してある構成を例示したが、このような構成に代えて、切片１１の側縁をストラップＶに近接させる構成や、切片１１の下縁をストラップＶに近接させる構成や、切片１１の下側の隅に切り欠きを形成する構成や、切片１１の中央部に長孔を形成してある構成としてもよい。
【００２９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００３０】
【図１】画像形成装置の要部を示す正面視説明図
【図２】第１の実施形態における画像形成装置の要部を示す正面視説明図
【図３】被係止部を支持部材にて受け止める作用を示す図
【図４】第２の実施形態における画像形成装置の要部を示す正面視説明図
【図５】第３の実施形態における画像形成装置の要部を示す正面視説明図
【図６】第４の実施形態における画像形成装置の要部を示す正面視説明図
【図７】別実施形態における画像形成装置の要部を示す正面視説明図
【図８】第４の実施形態における接当部を示す図
【符号の説明】
【００３１】
１Ａ        装置本体
５          搬送路
６          外カバー
７          被係止部
８          受止部
９          引っ張り付勢手段
１０        つるまきバネ
Ａ          軌跡
Ｐ          転写紙
Ｓ          中ユニット
Ｖ          支持部材、索状体
【図１】
2009058778.tif 000003
【図２】
2009058778.tif 000004
【図３】
2009058778.tif 000005
【図４】
2009058778.tif 000006
【図５】
2009058778.tif 000007
【図６】
2009058778.tif 000008
【図７】
2009058778.tif 000009
【図８】
2009058778.tif 000010